(57)【特許請求の範囲】
【請求項１】
通水濾過性シートから形成された袋本体、
袋本体の対向する２面の外表面に設けられた一対の薄板状部材、及び
袋本体内に充填された抽出材料
を有する抽出バッグであって、
前記各外表面において、薄板状部材は、袋本体の上部に取り付けられた上辺部、
上辺部と折れ線を介して連続し、該折れ線から袋本体の下辺側に伸びた把持部、及び
袋本体の上辺から袋本体の下辺側に伸びた脚部を有し、
上辺部の上辺が袋本体の上辺に揃い、
把持部は、その先端部が袋本体の上辺から突出するように前記折れ線で折り上げ可能である抽出バッグ。
【請求項２】
前記各外表面に設けられている上辺部の上辺同士が折れ線を介して連続している請求項１記載の抽出バッグ。
【請求項３】
折り上げられた一対の把持部同士が互いに係合する係合部を有する請求項１または２記載の抽出バッグ。
【請求項４】
袋本体の上辺を上にして袋本体を吊り下げた場合に、脚部の下端が抽出材料の上面よりも袋本体の下辺側に位置する請求項１〜３のいずれかに記載の抽出バッグ。
【請求項５】
前記各外表面において把持部の両側に脚部が形成されている請求項１〜４のいずれかに記載の抽出バッグ。
【請求項６】
把持部を折り上げた状態で把持部をカップの開口部壁に掛止させることを可能とする掛止部が把持部に形成されている請求項１〜５のいずれかに記載の抽出バッグ。
【発明の詳細な説明】
【技術分野】
【０００１】
本発明は、通水濾過性シート製の袋本体に充填された抽出材料を湯に浸漬して抽出液を得る抽出バッグに関する。
【背景技術】
【０００２】
従来、緑茶、紅茶、ウーロン茶などの飲料を手軽にいれるために、吊し糸付きの通水性の袋本体にこれらの茶葉が充填されたティーバッグが広く用いられている。コーヒーについても、コーヒー粉に注湯するドリップタイプの抽出バッグの他に、コーヒー粉が充填された袋本体を湯に浸漬させるティーバッグタイプのコーヒー抽出バッグが使用されている。しかしながら、ティーバッグタイプのコーヒー抽出バッグを湯に浸漬しようとしても、コーヒー粉に二酸化炭素が含まれるためにコーヒー粉を充填した袋本体が湯中で浮き上がり易く、コーヒーを十分に抽出することが難しい。そこで、薄板状部材で形成されたフック片を、コーヒー粉を充填する袋本体の片面に取り付けておき、コーヒー粉が充填された袋本体が湯中で浮き上がらないように、フック片をカップの縁に掛止できるようにしたものが提案されている（特許文献１）。
【０００３】
また、薄板状部材を折り曲げてパンタグラフのように伸縮する構造とした把手部を、コーヒー粉が充填された袋本体に取り付け、袋本体が浸漬している湯中で該把手部を上下させることによりコーヒーの抽出を促進させることが提案されている（特許文献２）。
【先行技術文献】
【特許文献】
【０００４】
【特許文献１】実用新案登録第３１４００８４号公報
【特許文献２】特開２００６―２７３３７９号公報
【発明の概要】
【発明が解決しようとする課題】
【０００５】
しかしながら、コーヒー粉が充填された袋本体を湯に浸漬させる従来のコーヒー抽出バッグでは、浮き上がろうとする袋本体を強制的に湯中に沈めても、袋本体に充填されたコーヒー粉全体の表層だけが湯で膨潤し、コーヒー粉全体の内部には湯が浸透しにくく、コーヒーの抽出に時間がかかる。コーヒーの抽出を促進させるために、コーヒー粉が充填された袋本体を湯中で上下させても、袋本体内に湯は十分に通らず、湯は袋本体に充填されたコーヒー粉全体の表面を流れてしまう。そのため、コーヒー粉全体を膨潤させ、コーヒー液を十分な濃さで抽出することは難しい。
【０００６】
これに対し、本発明は、コーヒー粉等の抽出材料が充填されている袋本体を湯に浸漬させることにより抽出液を得るティーバッグタイプの抽出バッグであって、袋本体内の抽出材料全体に湯を行き渡らせ、十分な濃さの抽出液を容易に得られるようにすることを課題とする。
【課題を解決するための手段】
【０００７】
本発明者は、抽出材料が充填された袋本体に薄板状部材が取り付けられているティーバッグタイプの抽出バッグにおいて、薄板状材料を特定形状とすることにより、袋本体を湯中に浸漬した場合に袋本体内に十分なヘッドスペースが確保されるようにすると、湯中で袋本体を上下させたときに袋本体内の抽出材料の上面に対して湯が下向きに流れ、抽出材料の内部に湯が浸透し易くなることを想到し、本発明を完成させた。
【０００８】
即ち、本発明は、通水濾過性シートから形成された袋本体、
袋本体の対向する２面の外表面に設けられた一対の薄板状部材、及び
袋本体内に充填された抽出材料
を有する抽出バッグであって、
前記各外表面において、薄板状部材は、袋本体の上部に取り付けられた上辺部、
上辺部と折れ線を介して連続し、該折れ線から袋本体の下辺側に伸びた把持部、及び
袋本体の上辺から袋本体の下辺側に伸びた脚部を有し、
上辺部の上辺が袋本体の上辺に揃い、
把持部は、その先端部が袋本体の上辺から突出するように前記折れ線で折り上げ可能である抽出バッグを提供する。
【発明の効果】
【０００９】
本発明によれば、抽出材料が充填された袋本体の対向する２面の各面に薄板状部材が設けられており、その一対の薄板状部材は、袋本体の上部に設けられた上辺部と、上辺部に連続した折り上げ可能な把持部と、袋本体の上辺から袋本体の下辺側に伸びた脚部を有するので、把持部を折り上げ、把持部を把持して袋本体をカップ内の湯中に押し込むことにより、袋本体全体を容易に湯に浸漬させることができ、湯中で袋本体を上下させることにより、袋本体内の抽出材料に湯が浸漬する速度を速めることも可能となる。さらに本発明によれば、一対の薄板状部材の上辺部の上辺が袋本体の上辺に揃うように取り付けられているので、カップ内の湯中に袋本体を押し込んだときに一対の薄板状部材の脚部がカップの底に当たると、その一対の薄板状部材の脚部に均等に押し込み時の押圧力がかかって脚部が突っ張り、袋本体の胴部が膨らむ。この場合、袋本体は、対向する２面のいずれか一方に屈曲することなく胴部が膨らむので、袋本体内の抽出材料の上方に広いヘッドスペースが形成される。したがって、そのヘッドスペースに湯が浸入し、袋本体内の抽出材料の上面から下向きに湯が流れる。このため、袋本体内を上下させることにより湯は、袋本体内に充填されている抽出材料の表面上を流れるだけでなく、内部にまで浸透し、抽出材料全体を膨潤させ、抽出材料全体から抽出液を得ることができる。したがって、短時間で十分な濃さの抽出液を得ることが可能となる。
【図面の簡単な説明】
【００１０】
【図１Ａ】図１Ａは、実施例の抽出バッグ１Ａの把持部を折り上げていない状態の正面図である。
【図１Ｂ】図１Ｂは、実施例の抽出バッグ１Ａの把持部を折り上げていない状態の背面図である。
【図１Ｃ】図１Ｃは、実施例の抽出バッグ１Ａの一対の把持部を折り上げて係合させた状態の背面図である。
【図１Ｄ】図１Ｄは、実施例の抽出バッグ１Ａの把持部を折り上げて係合させ、さらに掛止部を把持部から突出させた状態の斜視図である。
【図２】図２は、実施例の抽出バッグ１Ａの、薄板状部材を備えた袋本体の展開図である。
【図３】図３は、実施例の抽出バッグ１Ａをカップに掛止させた状態の斜視図である。
【図４Ａ】図４Ａは、実施例の抽出バッグ１Ａをカップ内の湯中に押し込んでいる状態の側面図である。
【図４Ｂ】図４Ｂは、実施例の抽出バッグ１Ａをカップ内の湯中から引き上げている状態の側面図である。
【図５】図５は、実施例の抽出バッグ１Ａの製造に使用する抽出バッグ製造用シートの平面図である。
【図６】図６は、実施例の抽出バッグ１Ａの製造方法の説明図である。
【図７Ａ】図７Ａは、実施例の抽出バッグ１Ｂの、薄板状部材を備えた袋本体の展開図である。
【図７Ｂ】図７Ｂは、実施例の抽出バッグ１Ｂの、把持部を折り上げていない状態の正面図である。
【図８Ａ】図８Ａは、実施例の抽出バッグ１Ｃの、薄板状部材を備えた袋本体の展開図である。
【図８Ｂ】図８Ｂは、実施例の抽出バッグ１Ｃの、把持部を折り上げていない状態の正面図である。
【図９Ａ】図９Ａは、実施例の抽出バッグ１Ｄの、把持部を折り上げていない状態の正面図である。
【図９Ｂ】図９Ｂは、実施例の抽出バッグ１Ｄの、把持部を折り上げていない状態の背面図である。
【図１０Ａ】図１０Ａは、実施例の抽出バッグ１Ｅの、薄板状部材を備えた袋本体の展開図である。
【図１０Ｂ】図１０Ｂは、実施例の抽出バッグ１Ｅの、把持部を折り上げていない状態の正面図である。
【図１０Ｃ】図１０Ｃは、実施例の抽出バッグ１Ｅの、一対の把持部を折り上げて係合させた状態の正面図である。
【図１１Ａ】図１１Ａは、実施例の抽出バッグ１Ｆの、薄板状部材を備えた袋本体の展開図である。
【図１１Ｂ】図１１Ｂは、実施例の抽出バッグ１Ｆの、把持部を折り上げていない状態の正面図である。
【図１１Ｃ】図１１Ｃは、実施例の抽出バッグ１Ｆの、把持部を折り上げて係合させた状態の正面図である。
【図１２Ａ】図１２Ａは、実施例の抽出バッグ１Ｇの、薄板状部材を備えた袋本体の展開図である。
【図１２Ｂ】図１２Ｂは、実施例の抽出バッグ１Ｇの、把持部を折り上げていない状態の正面図である。
【図１２Ｃ】図１２Ｃは、実施例の抽出バッグ１Ｇの、一対の把持部を折り上げて係合させた状態の正面図である。
【図１３Ａ】図１３Ａは、実施例の抽出バッグ１Ｈの、薄板状部材を備えた袋本体の展開図である。
【図１３Ｂ】図１３Ｂは、実施例の抽出バッグ１Ｈの、把持部を折り上げていない状態の正面図である。
【図１３Ｃ】図１３Ｃは、実施例の抽出バッグ１Ｈをカップに掛止させた状態の斜視図である。
【図１４Ａ】図１４Ａは、実施例の抽出バッグ１Ｉの、薄板状部材を備えた袋本体の展開図である。
【図１４Ｂ】図１４Ｂは、実施例の抽出バッグ１Ｉの、一対の把持部を折り上げて係合させた状態の斜視図である。
【図１５Ａ】図１５Ａは、比較例の抽出バッグ１Ｘの薄板状部材を備えた袋本体の展開図である。
【図１５Ｂ】図１５Ｂは、比較例の抽出バッグ１Ｘの一対の把持部を折り上げて係合させ、掛止部を引き起こした状態の背面図である。
【図１５Ｃ】図１５Ｃは、比較例の抽出バッグ１Ｘをカップ内の湯中に押し込んでいる状態の側面図である。
【図１５Ｄ】図１５Ｄは、比較例の抽出バッグ１Ｘをカップ内の湯から引き上げている状態の側面図である。
【発明を実施するための形態】
【００１１】
以下、図面を参照しつつ本発明を具体的に説明する。なお、各図中、同一符号は同一又は同等の構成要素を表している。
【００１２】
（全体構成）
図１Ａ、図１Ｂは、本発明の一実施例の抽出バッグ１Ａの把持部１２を折り上げていない状態の正面図、背面図であり、図１Ｃは該抽出バッグ１Ａの把持部１２を折り上げて係合させた状態の背面図であり、図１Ｄは該抽出バッグ１Ａの把持部１２を折り上げて係合させ、さらに掛止部１５を突出させた状態の斜視図である。また、図２は、この抽出バッグ１Ａの薄板状部材を備えた袋本体３の展開図である。
【００１３】
この抽出バッグ１Ａは、抽出材料が充填された袋本体を湯中に浸漬させて抽出液を得るティーバッグタイプの抽出バッグであって、図１Ａ〜図１Ｄ、図２に示されているように、通水濾過性シート２から形成された平袋状の袋本体３、袋本体３の対向する２面の外表面に設けられた一対の薄板状部材１０Ａ、１０Ｂ、及び袋本体３内に充填された抽出材料を有する飲料抽出用の抽出バッグである。図１Ａ〜図１Ｄにおいて、袋本体３内のドットで塗りつぶされている領域は、抽出材料Ｍが充填されている領域を表しており、斜め線で塗りつぶされている領域は薄板状部材１０Ａ、１０Ｂと通水濾過性シート２との貼着領域を表している。
【００１４】
一対の薄板状部材１０Ａ、１０Ｂは、それぞれ上辺部１１、把持部１２、及び脚部１３を有している。
【００１５】
上辺部１１は袋本体３の上部に取り付けられている。上辺部１１の上辺１１ａと袋本体３の上辺３ａとは揃っており、この点を本発明は主要な構成の一つとしている。言い換えると、袋本体３の一方の面の薄板状部材１０Ａの上辺部１１の上辺１１ａと、他方の面の薄板状部材１０Ｂの上辺部１１の上辺１１ａとが当接した状態を形成する。本実施例では、袋本体３の一方の面の薄板状部材１０Ａの上辺部１１の上辺１１ａと、他方の面の薄板状部材１０Ｂの上辺部１１の上辺１１ａとを折れ線Ｌｂを介して連続させ（図２）、その折れ線Ｌｂを、通水濾過性シート２の折山となっている袋本体３の上辺３ａと重ねることにより上辺部１１の上辺１１ａと袋本体３の上辺３ａとを揃え、一対の薄板状部材１０Ａ、１０Ｂの上辺部１１の上辺１１ａ同士を当接した状態としている。
【００１６】
本発明において、折れ線とは薄板状部材が折れるように形成されているラインをいい、ミシン目、ハーフカット、筋押し等により形成することができる。したがって、上述の折れ線Ｌｂが切れ線のみで構成され、一対の上辺部１１の上辺１１ａ同士が切離されていても、切離された一対の上辺部１１の上辺１１ａがその下地となる通水濾過性シートと貼着していることにより一対の上辺部１１の上辺１１ａ同士が当接した状態を維持できる場合には、切れ線もここでいう折れ線に含まれる。
【００１７】
袋本体３の一方の面の薄板状部材１０Ａの上辺部１１の上辺１１ａと、他方の面の薄板状部材１０Ｂの上辺部１１の上辺１１ａとが当接した状態とすることにより、後述するように把持部１２を折り上げ、折り上げた把持部１２を把持して袋本体３をカップ内の湯に浸漬させる場合に、袋本体３をいずれか一方の面側に湾曲させることなく袋本体３を湯中に押し込み、袋本体３の対向する２面の間隔を広げて袋本体３の胴部を膨らませることが可能となる（図４Ａ）。また、抽出バッグ１Ａの製造に使用する抽出バッグ製造用シート２０（図５）の製造において、互いに当接させる一対の上辺部１１同士の位置ずれを防止することができる。
【００１８】
把持部１２は、上辺部１１と折れ線Ｌａを介して連続し、折れ線Ｌａから袋本体３の下辺３ｂ側に伸びている（図１Ａ、図１Ｂ）。把持部１２は、折れ線Ｌａで折り上げることができ、折り上げた状態で把持部１２の先端部は袋本体３の上辺３ａから突出する（図１Ｃ、図１Ｄ）。これに対し、上辺部１１と脚部１３はそれぞれ袋本体３から引き起こすことができない。
【００１９】
一対の薄板状部材１０Ａ、１０Ｂの把持部１２の端部には、折り上げられた一対の把持部１２同士が互いに係合する係合部１４が形成されている。係合部１４としては、Ｖノッチ、Ｉノッチ等の切り込みを形成することができる。これにより、折り上げた把持部１２を把持することが容易となり、また、折り上げた把持部１２同士をリジッドな一本の棒状にすることができ、把持部１２を把持して袋本体３を湯中に押し込み、湯を浸漬させることが容易となる。
【００２０】
また、係合部１４が形成されている把持部１２の端部では、該端部と脚部１３との間に切り込みが形成されることによりこれらが離間しており、把持部１２の端部が把持すべき箇所であることを案内している。
【００２１】
袋本体３の対向する２面に設けられた薄板状部材１０Ａ、１０Ｂのうち一方の薄板状部材１０Ｂの把持部１２の両側部には、把持部１２を折り上げた状態で把持部１２をカップの開口部壁に掛止させることを可能とする掛止部１５が形成されている。より具体的には、一方の薄板状部材１０Ｂでは、把持部１２の両側部から逆Ｌ字型のフックタイプの掛止部１５を引き起こせるように、該把持部１２に切り込みと折れ線Ｌｃが形成されている。特に、本実施例においては、掛止部１５が部分的に把持部１２の側辺１２ａから突出しているので（図１Ｃ）、把持部１２を折り上げた後、掛止部１５の突出部分に指を掛け、折れ線Ｌｃで掛止部１５を折り曲げ、把持部１２の表面から掛止部１５を容易に引き起こすことができる（図１Ｄ）。
【００２２】
本発明において掛止部１５は必要に応じて設けられるが、掛止部１５を設けると、袋本体３をカップ内の湯に浸し、抽出バッグをカップに掛止させておくことにより、袋本体３の浮き上がりを押さえて抽出を進めることができ、抽出操作中に抽出バッグ１Ａから手を離すことができる。また、カップに抽出バッグを掛止させたままカップから抽出液を飲むことが可能となる。
【００２３】
脚部１３は、袋本体３の上辺３ａから袋本体３の下辺３ｂ側に伸びている。本実施例において脚部１３の上部と上辺部１１とは連続しており、これらの間に折れ線や切り込み等はなく、脚部１３は上辺部１１を下方に延設した形態となっている。したがって、脚部１３の上辺も、上辺部１１の上辺１１ａと同様に袋本体３の上辺３ａと揃っている。
【００２４】
また、本実施例において脚部１３は、把持部１２の両側に設けられており、一対の薄板状部材１０Ａ、１０Ｂの脚部１３の下端の位置は、袋本体３の上辺３ａから等距離にあり、その下端の位置は、袋本体３の上辺３ａを上にして袋本体３を吊り下げた場合の抽出材料Ｍの上面Ｐ（図１Ｄ）よりも袋本体３の下辺側に位置するように、脚部１３は袋本体３の上辺３ａから袋本体３の下辺３ｂ側に長く伸びている。これにより、把持部１２を把持して袋本体３を湯中に押し込む場合に、袋本体３の押し込みが容易となり、また袋本体３をいずれか一方の面側に湾曲させることなく、袋本体３の対向する２面の間隔を広げて袋本体３の胴部を膨らませることが可能となる。
【００２５】
（抽出材料）
袋本体３内に充填される抽出材料としては、コーヒー粉、紅茶、緑茶等の茶葉、漢方薬などをあげることができる。一般に、コーヒー粉を袋本体３内に充填し、湯中に浸漬しようとすると、コーヒー粉に含まれる二酸化炭素により袋本体が浮き上がりやすいので、抽出し難いが、本発明によれば、把持部１２を把持してカップ内の湯に袋本体３を押し沈めることが容易であり、さらに湯中で袋本体３を上下させることにより、袋本体内のコーヒー粉全体の表層に湯が浸透するだけでなく、内部にも湯が浸透するので、コーヒー粉全体から効率よく抽出液を得ることができる。
【００２６】
なお、本発明の抽出バッグでは、抽出材料が袋本体３内に密封された状態で使用されるので、抽出バッグの使用時に抽出材料が袋本体外に散らばることはない。
【００２７】
（袋本体）
袋本体３の形状は、本実施例では上辺を折山とする３方シールの平袋としている。本発明において袋本体３の形状は平袋に限られず、例えば、底部又は側部にマチを有するガゼット袋としてもよい。
【００２８】
袋本体３の正味の平面寸法は、抽出バッグを用いて抽出液を得る場合に使用するカップ又は容器の大きさに応じて適宜設定することができる。例えば、袋本体３を市販のコーヒーカップに適合した大きさにすればよい。
【００２９】
（通水濾過性シート）
袋本体を形成する通水濾過性シートとしては、抽出材料の抽出に使用できるように通水性及び濾過性を有するものを種々使用することができ、抽出材料の種類に応じて通水濾過性シートの構成材料も適宜選択することができる。例えば、一般に、飲料を抽出するための通水濾過性シートとしては、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類が知られており、本発明においてもこれらを使用することができる。抽出バッグの使用後の廃棄性の点からは、通水濾過性シートに生分解性繊維を含有させることが好ましい。生分解性繊維としては、ポリ乳酸、ポリブチレンサクシネート、ポリエチレンサクシネート等を挙げることができる。また、袋本体内の抽出材料の状態がわかるように、通水濾過性シートに透明性をもたせる点からは、無機系顔料の含有量を低減させること又は無機系顔料が含まれないようにすることが好ましい。
【００３０】
（薄板状部材）
薄板状部材は撥水性を有するものが好ましく、表面に樹脂をラミネートした板紙、プラスチックシート等の薄板状材料の打ち抜きにより形成される。
【００３１】
（使用方法）
この抽出バッグ１Ａの包装形態としては、図１Ａ、図１Ｂに示したように、薄板状部材１０Ａ、１０Ｂ全体が袋本体３の表面上にある状態が好ましい。そこで、この状態からの使用方法としては、まず、図１Ｃに示すように、袋本体３の両面の把持部１２を折れ線Ｌａで折り上げ、折り上げた把持部１２の係合部１４同士を係合させる。次に、把持部１２に設けられている掛止部１５を折れ線Ｌｃで折り曲げることにより把持部１２の表面から引き起こす（図１Ｄ）。そして、掛止部１５をカップ１００の開口部壁１０１に掛止させ（図３）、カップ内に注湯する。カップ１００に掛止部１５を掛止させることにより、袋本体３の浮き上がりを押さえることができるので、抽出バッグ１Ａをカップ１００に掛止しているだけでも抽出材料へ湯が浸透していく。
【００３２】
しかしながら、抽出材料がコーヒー粉の場合、袋本体３を単に湯中に浸漬させているだけのときには、袋本体３内のコーヒー粉全体の表層からの抽出液は容易に得られるものの、コーヒー粉全体の内部には湯が浸透しにくい。そこで、コーヒー粉全体からの抽出を促進させるために、把持部１２を把持し、図４Ａに示すように、カップ１００内の湯Ｗに袋本体３を押し込み、図４Ｂに示すように袋本体３を引き上げるという押し込みと引き上げを繰り返す。このとき、脚部１３が袋本体３の対向する２面に設けられ、好ましくは脚部１３の下端が袋本体３の抽出材料Ｍの上面Ｐよりも袋本体３の下辺側にあるので、袋本体３全体を容易に湯中に浸漬させることができる。また図４Ａのように袋本体３がカップ１００の底１０２に当たっても構わない。袋本体３がカップ１００の底１０２に当たっても、把持部１２から袋本体３を押し込む力は、袋本体３の両面の一対の脚部１３に均等に伝わり、一対の脚部１３は同程度に広がって突っ張り、袋本体３が一方の面側に屈曲することなく、袋本体の胴部が膨らみ、袋本体３内のヘッドスペースＳが広がる。次に、把持部１２をもって袋本体３を湯Ｗから引き上げると、図４Ｂに下向きの矢印で示すように、ヘッドスペースＳ内に浸入した湯が袋本体３内の抽出材料Ｍの表面に向かって下向きに流れる。これにより、抽出材料Ｍがコーヒー粉であっても、袋本体３内のコーヒー粉全体の表層だけでなく、内部にも湯が浸透する。したがって、このような押し込みと引き上げを繰り返すことにより、袋本体３内のコーヒー粉全体に短時間のうちに強制的に湯を接触させることができる。よって、抽出材料がコーヒー粉であっても抽出材料全体から迅速に抽出液を得ることができる。このことは、押し込みと引き上げを繰り返す度に抽出液の濃度が濃くなっていくことから確認することができる。
【００３３】
これに対し、図１５Ａ及び図１５Ｂに示した比較例の抽出バッグ１Ｘのように、上辺部１１の上辺１１ａが袋本体３の上辺３ａから離れていると、カップ１００内の湯中に袋本体３を押し込んだときに、押し込む力が、袋本体３の対向する２面に均等に伝わりにくいため、図１５Ｃに示すように袋本体３が袋本体３の一方の面側に屈曲し、袋本体３内のヘッドスペースＳが狭くなり、袋本体３内に十分に湯を溜めることができない。そのため、図１５Ｄに示すように袋本体３を引き上げると、袋本体３の表面に湯は流れるが、袋本体３に充填されているコーヒー粉全体の内部には湯が浸透しにくい。よって、湯中で袋本体の押し込みと引き上げを繰り返しても十分な濃さの抽出液を短時間に得ることが難しくなる。
【００３４】
本発明の実施例の抽出バッグ１Ａを使用することにより抽出液を得た後は、把持部１２を把持し、容易に抽出バッグを廃棄することができる。あるいは、カップ１００の開口部壁１０１に掛止部１５を掛止させ、その状態でカップ内の抽出液を飲んでも良い。
【００３５】
（製造方法）
抽出バッグ１Ａの製造方法としては、例えば、図５に示すように、長尺の通水濾過性シート２１に、一対の薄板状部材１０Ａ、１０Ｂが折れ線Ｌｂを介して一体に形成されている薄板状部材１０Ｃを所定間隔で並べて貼着した抽出バッグ製造用シート２０を用意する。図中、細い破線で挟まれた領域が抽出バッグ１個分の製造に使用されることとなる。
【００３６】
この抽出バッグ製造用シート２０を包装充填機で用いることにより抽出バッグ１Ａを連続的に製造することができる。この場合、まず図６に示すように、抽出バッグ製造用シート２０の長手方向の両側辺を重ね合わせるように二つ折りにし、その長手方向の側辺同士を溶着して縦シール２２を形成することにより筒状体を形成する。次に、筒状体を短手方向に溶着する横シール２３の形成と袋本体３内への抽出材料Ｍの充填とを交互に繰り返すことにより抽出バッグ１Ａの袋本体３の側辺で抽出バッグ１Ａが上下に繋がった抽出バッグ連続体を製造し、これを個々の抽出バッグに切り離して抽出バッグ１Ａを得る。あるいは、筒状体の短手方向の横シール２３の形成時に溶断も同時に行い、個々に切り離された抽出バッグ１Ａを連続的に製造する。
【００３７】
（変形態様）
本発明の抽出バッグは種々の変更点をもつことができる。例えば、図７Ａに示す展開図を有し、図７Ｂのように示される抽出バッグ１Ｂのように、一対の薄板状部材１０Ａ、１０Ｂの上辺部１１の上辺１１ａ同士が切離されていてもよい。この場合、図７Ｂに示したように、双方の上辺部１１の上辺１１ａ近傍において上辺部１１はその下地の通水濾過性シート２と貼着しており、把持部１２を折り上げて袋本体３を湯中に押し込むときにも、双方の上辺部１１の上辺１１ａ同士の当接状態が維持されるようにしている。
【００３８】
また、この抽出バッグ１Ｂでは掛止部１５が省略されている。本発明において掛止部１５は、抽出材料の種類等に応じて、必要により設けられる。例えば、緑茶を抽出する場合、茶葉を湯中浸しておく時間はコーヒーを抽出する場合に比して短時間で足り、予めカップに注湯した湯に袋本体を浸漬してもよいため、掛止部１５を省略してもよい。
【００３９】
図８Ａに示す展開図を有し、図８Ｂのように示される抽出バッグ１Ｃは、図７Ａ、図７Ｂに示した抽出バッグ１Ｂにおいて、一対の薄板状部材１０Ａ、１０Ｂの上辺部１１同士を折れ線Ｌｂで連続させ、把持部１２の両側の脚部１３を把持部１２から離間させ、脚部１３を袋本体３の側辺３ｃに近づけたものである。脚部１３を袋本体３の側辺３ｃに過度に近づけると袋本体３内に形成されるヘッドスペースが狭くなり、袋本体３を湯に浸漬した場合に抽出材料に湯が浸透しにくくなるが、抽出材料への湯の浸透時間に支障がきたされない限り、脚部１３は袋本体３の側辺３ｃに近づけても良い。
【００４０】
図９Ａ及び図９Ｂに示した抽出バッグ１Ｄは、図１Ａ〜図１Ｄに示した抽出バッグ１Ａにおいて、上辺部１１と脚部１３とを切離したものである。このように、本発明において上辺部１１と脚部１３は、それぞれそれらの上辺１１ａ、１３ａが袋本体３ａの上辺に揃っていれば、連続的に形成されていなくてもよい。把持部１２を把持し、袋本体３を湯中に押し込んだ場合に、袋本体が一方の面側に屈曲することを確実に防止する点からは、上辺部１１と脚部１３は連続的に形成されていることが好ましい。
【００４１】
図１０Ａに示す展開図を有し、図１０Ｂのように示され、図１０Ｃに示すように把持部１２が折り上げられる抽出バッグ１Ｅは、図１Ａ〜図１Ｄに示した抽出バッグ１Ａに対し、把持部１２の端部の係合部１４をＩノッチで形成し、袋本体３の上辺３ａから下辺側に伸びた脚部１３の下端の位置を、把持部１２の下端の位置よりも袋本体の上辺３ａ側とし、掛止部１５を省略したものである。このように、抽出バッグ１Ａよりも単純な形状とし、安価に製造できるようにしても、袋本体３の両面において上辺部１１の上辺１１ａが袋本体３の上辺３ａに揃い、脚部１３も袋本体３の上辺３ａから下辺側に伸びているので、湯中で袋本体３の押し込みと引き上げを繰り返すことにより袋本体３内の抽出材料全体に湯を短時間で浸透させて抽出液を得ることができる。
【００４２】
上述の抽出バッグ１Ｅは、把持部１２の左右両側に脚部１３が設けられているが、図１１Ａに示す展開図を有し、図１１Ｂのように示され、図１１Ｃに示すように把持部１２が折り上げられる抽出バッグ１Ｆは、上述の抽出バッグ１Ｅに対し、把持部１２の片側にのみ脚部１３を設けたものである。但し、把持部１２を把持して湯中に袋本体３を押し込んだ場合に、袋本体３がいずれか一方の面側に屈曲することなく、ヘッドスペースが膨らんだ形状を安定して得られるようにするため、袋本体３の一方の面の脚部１３と他方の面の脚部１３は、上辺部１１の上辺１１ａの中心１１ａｐに対して対称的に形成されている。
【００４３】
また、図１２Ａに示す展開図を有し、図１２Ｂのように示され、図１２Ｃに示すように把持部１２が折り上げられる抽出バッグ１Ｇのように、把持部１２の内側に脚部１３を設けてもよい。
【００４４】
図１３Ａに示す展開図を有し、図１３Ｂのように示され、図１３Ｃに示すようにカップ１００に掛止される抽出バッグ１Ｈは、上述の抽出バッグ１Ｇの把持部１２の幅を広げ、把持部１２の両側部に切り込みによる掛止部１５を設けたものである。このように、本発明において掛止部１５は把持部１２から引き起こされる逆Ｌ字型のフックタイプのものだけでなく、切り込みによりカップ１００の開口部壁１０１に把持部１２が掛かるようにしたものでもよい。なお、この抽出バッグ１Ｈは一対の把持部１２の端部に互いに係合する係合部１４を有するが、掛止部１５で把持部１２をカップに掛止させた状態で一対の把持部１２は重なり合った状態に保持されるため、係合部１４は省略してもよい。
【００４５】
図１４Ａに示す展開図を有し、図１４Ｂに示すように一対の把持部１２が折り上げられて係合する抽出バッグ１Ｉは、袋本体３の対向する２面に設けられた上辺部１１の間に中間部１６を有し、上辺部１１はそれぞれ折れ線Ｌｄを介して中間部１６と連続している。そのため、この抽出バッグ１Ｉではこの２本の折れ線Ｌｄにより袋本体３の上端部に厚みｄが形成され、折れ線Ｌｄの位置が袋本体３の上辺３ａとなる。このように袋本体３の上端部に厚みｄが形成されることにより、袋本体３内にヘッドスペースがより安定して形成されるようになる。なお、抽出バッグ１Ｉを外装袋に収納する点から、厚みｄの大きさは、抽出材料により膨らむ袋底部の厚みと同等以下とすることが好ましい。
【００４６】
以上、本発明の種々の態様について説明したが、本発明において種々態様における変更点は適宜組み合わせることができる。
【符号の説明】
【００４７】
１Ａ、１Ｂ、１Ｃ、１Ｄ、１Ｅ、１Ｆ、１Ｇ、１Ｈ、１Ｉ  抽出バッグ
２  通水濾過性シート
３  袋本体
３ａ  袋本体の上辺
３ｂ  袋本体の下辺
３ｃ  袋本体の側辺
１０Ａ、１０Ｂ  薄板状部材
１１  上辺部
１１ａ  上辺部の上辺
１１ａｐ  上辺部の上辺の中心
１２  把持部
１２ａ  把持部の側辺
１３  脚部
１４  係合部
１５  掛止部
１６  中間部
２０  抽出バッグ製造用シート
２１  長尺の通水濾過性シート
２２  縦シール
２３  横シール
１００  カップ
１０１  カップの開口部壁
１０２  カップの底
ｄ  厚み
Ｌａ、Ｌｂ、Ｌｃ、Ｌｄ  折れ線
Ｍ  抽出材料
Ｓ  ヘッドスペース
Ｗ  湯
【要約】
【課題】コーヒー等の抽出液を得るティーバッグタイプの抽出バッグであって、袋本体内の抽出材料全体に湯を行き渡らせ、十分な濃さの抽出液を容易に得られるようにする。
【解決手段】抽出バッグ１Ａが、通水濾過性シート２から形成された袋本体３、袋本体３の対向する２面の外表面に設けられた一対の薄板状部材１０Ａ、１０Ｂ、及び袋本体３内に充填された抽出材料Ｍを有する。袋本体３の前記各外表面において、薄板状部材１０Ａ、１０Ｂは、袋本体３の上部に取り付けられた上辺部１１、上辺部１１と折れ線Ｌａを介して連続し、該折れ線Ｌａから袋本体の下辺３ｂ側に伸びた把持部１２、及び袋本体の上辺３ａから袋本体の下辺３ｂ側に伸びた脚部１３を有する。上辺部の上辺１１ａが袋本体の上辺３ａに揃い、把持部１２は、その先端部が袋本体の上辺３ａから突出するように前記折れ線Ｌａで折り上げ可能である。
【選択図】図１Ｄ【図１Ａ】
0006710385.tif 000002
【図１Ｂ】
0006710385.tif 000003
【図１Ｃ】
0006710385.tif 000004
【図１Ｄ】
0006710385.tif 000005
【図２】
0006710385.tif 000006
【図３】
0006710385.tif 000007
【図４Ａ】
0006710385.tif 000008
【図４Ｂ】
0006710385.tif 000009
【図５】
0006710385.tif 000010
【図６】
0006710385.tif 000011
【図７Ａ】
0006710385.tif 000012
【図７Ｂ】
0006710385.tif 000013
【図８Ａ】
0006710385.tif 000014
【図８Ｂ】
0006710385.tif 000015
【図９Ａ】
0006710385.tif 000016
【図９Ｂ】
0006710385.tif 000017
【図１０Ａ】
0006710385.tif 000018
【図１０Ｂ】
0006710385.tif 000019
【図１０Ｃ】
0006710385.tif 000020
【図１１Ａ】
0006710385.tif 000021
【図１１Ｂ】
0006710385.tif 000022
【図１１Ｃ】
0006710385.tif 000023
【図１２Ａ】
0006710385.tif 000024
【図１２Ｂ】
0006710385.tif 000025
【図１２Ｃ】
0006710385.tif 000026
【図１３Ａ】
0006710385.tif 000027
【図１３Ｂ】
0006710385.tif 000028
【図１３Ｃ】
0006710385.tif 000029
【図１４Ａ】
0006710385.tif 000030
【図１４Ｂ】
0006710385.tif 000031
【図１５Ａ】
0006710385.tif 000032
【図１５Ｂ】
0006710385.tif 000033
【図１５Ｃ】
0006710385.tif 000034
【図１５Ｄ】
0006710385.tif 000035